(57)【要約】【課題】画質を低下させることなく、映像信号に起因する無線通信の妨害を軽減する。【解決手段】映像処理装置１は、映像信号が入力される映像入力部５と、複数の周波数帯域で外部との通信を行うことが可能な無線通信部１０と、複数の周波数帯域のうち通信に使用する使用周波数帯域を設定する制御部と９を有する。制御部は、映像信号に起因して発生する妨害波の周波数を取得し、複数の周波数帯域のうち妨害波の周波数を含まない周波数帯域を使用周波数帯域として設定する。【選択図】図１
2019087940.tif 000002
【特許請求の範囲】
【請求項１】
映像信号が入力される映像入力部と、
複数の周波数帯域で外部との通信を行うことが可能な無線通信部と、
前記複数の周波数帯域のうち前記通信に使用する使用周波数帯域を設定する制御部とを有し、
前記制御部は、
前記映像信号に起因して発生する妨害波の周波数を取得し、
前記複数の周波数帯域のうち前記妨害波の周波数を含まない周波数帯域を前記使用周波数帯域として設定することを特徴とする映像処理装置。
【請求項２】
前記妨害波は、前記映像信号のクロック信号の逓倍波であることを特徴とする請求項１に記載の映像処理装置。
【請求項３】
前記制御部は、前記映像信号の特性に基づいて前記妨害波の周波数を取得することを特徴とする請求項１または２に記載の映像処理装置。
【請求項４】
前記制御部は、前記妨害波を検出する検出部を用いて前記妨害波の周波数を取得することを特徴とする請求項１または２に記載の映像処理装置。
【請求項５】
前記映像入力部には、複数の映像信号の同時入力が可能であり、
前記制御部は、前記複数の映像信号の入力数が所定数以上であるときに前記妨害波の周波数を含まない周波数帯域を前記使用周波数帯域として設定することを特徴とする請求項１から４のいずれか一項に記載の映像処理装置。
【請求項６】
映像信号が入力されるとともに、複数の周波数帯域で外部との通信を行うことが可能な映像処理装置の制御方法であって、
前記複数の周波数帯域のうち使用周波数帯域を設定する設定ステップと、
前記使用周波数帯域で前記通信を行うステップとを有し、
前記設定ステップにおいて、
前記映像信号に起因して発生する妨害波の周波数を取得し、
前記複数の周波数帯域のうち前記妨害波の周波数を含まない周波数帯域を前記使用周波数帯域として設定することを特徴とする映像処理装置の制御方法。
【請求項７】
映像信号が入力されるとともに、複数の周波数帯域で外部との通信を行うことが可能な映像処理装置のコンピュータに処理を実行させるコンピュータプログラムであって、
前記処理は、
前記複数の周波数帯域のうち使用周波数帯域を設定する設定ステップと、
前記使用周波数帯域で前記通信を行うステップとを有し、
前記設定ステップにおいて、
前記映像信号に起因して発生する妨害波の周波数を取得し、
前記複数の周波数帯域のうち前記妨害波の周波数を含まない周波数帯域を前記使用周波数帯域として設定することを特徴とする制御プログラム。
【発明の詳細な説明】
【技術分野】
【０００１】
本発明は、入力された映像信号を用いて映像表示や映像記録等の処理を行う映像処理装置に関し、特に無線通信機能を有する映像処理装置に関する。
【背景技術】
【０００２】
プロジェクタやレコーダ等の映像処理装置には、無線ＬＡＮを使用して制御信号や映像信号の受信および送信が可能な無線通信機能を有するものがある。さらにこのような映像処理装置にアクセスポイント（基地局）機能が内蔵されることで、いわゆるアドホック・モード（ad hoc mode）の使用が可能となり、他の無線ＬＡＮ搭載機器と直接に通信が可能となる。
【０００３】
一方、映像処理装置に入力される映像信号の高解像度化に伴い、映像信号のドットクロックの周波数（以下、ドットクロック周波数という）が増加している。これにより、無線ＬＡＮ通信で使用する通信周波数に対して、入力映像信号のドットクロック周波数の整数倍の周波数に現れる不要輻射（Electro Magnetic Interference）が無線ＬＡＮの通信を妨害する事象が発生している。この現象は、映像処理装置の内部で発生した不要輻射で自己の持つ機能の性能が不調となる「自家中毒現象」と呼ばれる。
【０００４】
映像信号のドットクロック周波数の整数倍の周波数に現れる不要輻射が無線ＬＡＮの通信に与える影響を軽減するために、例えば、特許文献１には、装置内において入力された映像信号を該映像信号のドットクロック周波数とは異なるクロック周波数で伝送する映像処理装置が開示されている。また、特許文献２には、装置内部で生成する映像信号のドットクロック周波数を、影響の少ないドットクロックにずらす映像処理装置が開示されている。
【先行技術文献】
【特許文献】
【０００５】
【特許文献１】特開２０１３−１０９２７２号公報
【特許文献２】特開２００７−４３２４６号公報
【発明の概要】
【発明が解決しようとする課題】
【０００６】
しかしながら、特許文献１，２に開示された映像処理装置のように無線ＬＡＮで使用する通信周波数に対して映像信号のドットクロック周波数を変更すると、該ドットクロック周波数を変更する回路の規模が大きくなる。また、映像信号に応じて表示される映像上での各画素の位置（座標）を決めるクロック信号を変更するために、表示映像の画質が低下するおそれがある。
【０００７】
本発明は、画質を低下させることなく、映像信号に起因した無線通信の妨害を軽減することができるようにした映像処理装置を提供する。
【課題を解決するための手段】
【０００８】
本発明の一側面としての映像処理装置は、映像信号が入力される映像入力部と、複数の周波数帯域で外部との通信を行うことが可能な無線通信部と、複数の周波数帯域のうち通信に使用する使用周波数帯域を設定する制御部とを有する。制御部は、映像信号に起因して発生する妨害波の周波数を取得し、複数の周波数帯域のうち妨害波の周波数を含まない周波数帯域を使用周波数帯域として設定することを特徴とする。
【０００９】
また、本発明の他の一側面としての制御方法は、映像信号が入力されるとともに、複数の周波数帯域で外部との通信を行うことが可能な映像処理装置に適用される。該制御方法は、複数の周波数帯域のうち使用周波数帯域を設定する設定ステップと、使用周波数帯域で通信を行うステップとを有する。設定ステップにおいて、映像信号に起因して発生する妨害波の周波数を取得し、複数の周波数帯域のうち妨害波の周波数を含まない周波数帯域を使用周波数帯域として設定することを特徴とする。
【００１０】
なお、映像処理装置に上記制御方法に従う処理を実行させるコンピュータプログラムも本発明の他の一側面を構成する。
【発明の効果】
【００１１】
本発明によれば、画質を低下させることなく、映像信号に起因した無線通信の妨害を軽減することができる。
【図面の簡単な説明】
【００１２】
【図１】本発明の実施例１であるプロジェクタの構成を示すブロック図。
【図２】無線ＬＡＮ規格のIEEE801.11ｎでのチャネルと妨害波を示す図。
【図３】実施例１のプロジェクタの動作を示すフローチャート。
【図４】本発明の実施例２であるプロジェクタの構成を示すブロック図。
【図５】実施例２のプロジェクタの動作を示すフローチャート。
【図６】本発明の実施例３であるプロジェクタの構成を示すブロック図。
【図７】実施例３のプロジェクタの動作を示すフローチャート。
【発明を実施するための形態】
【００１３】
以下、本発明の実施例について図面を参照しながら説明する。
【実施例１】
【００１４】
図１は、本発明の実施例１である映像処理装置としてのプロジェクタ（画像投射装置）１の構成を示す。本実施例のプロジェクタ１は、無線ＬＡＮ（例えば通信規格IEEE801.11n）を利用して外部機器との無線通信を行う無線通信部を内蔵している。
【００１５】
２はパーソナルコンピュータ等の映像出力装置であり、様々な映像信号（映像データ）を出力する映像出力ＩＣ３を搭載している。映像出力ＩＣ３は、ＤＶＩケーブル４を介してドットクロック信号を含む映像信号をプロジェクタ１に伝送することができる。プロジェクタ１に伝送（入力）される映像信号としては、デジタル信号のＤＶＩやＨＤＭＩ（登録商標）や、アナログ信号のＮＴＳＣ等、様々なものがある。
【００１６】
５は映像入力部としての入力制御（Ｉ／Ｆ）ＩＣであり、映像出力装置２から入力コネクタ６を通して入力された映像信号を画像処理ＩＣ７に送る。また、８は記録部（ＲＯＭ）であり、様々な映像信号の特性に対応するドットクロック信号の周波数（以下、ドットクロック周波数という）のデータが記録されている。ここにいう映像信号の特性とは、解像度、水平同期信号周波数、垂直同期信号周波数およびビット深度（８ｂｉｔ／１０ｂｉｔ等）を含む。記録部８は制御部としてのＣＰＵ９に接続されている。
【００１７】
ＣＰＵ９は、入力制御ＩＣ５に入力された映像信号の特性を検出する。そして、記録部８に記録された様々な映像信号の特性に対応するドットクロック周波数のうち検出した特性に対応するドットクロック周波数のデータを読み出す。ＣＰＵ９は、このドットクロック周波数を後述するｃｈ設定処理に用いる。
【００１８】
１０は無線通信部としての無線ＬＡＮユニットである。無線ＬＡＮユニット１０は、インフラストラクチャー・モード（infrastructure mode）で動作可能であり、ネットワークを統括する外部のアクセスポイントを介して外部のＰＣ等と通信することが可能である。また、無線ＬＡＮユニット１０は、アクセスポイントの機能を持つアクセスポイント・モードでも動作可能である。アクセスポイント・モードで動作している場合、無線ＬＡＮユニット１０が無線ＬＡＮで使用する周波数帯域（以下、使用周波数帯域という）はＣＰＵ９がｃｈ設定処理により設定（選択）することができる。
【００１９】
１１はプロジェクタ１を外部からコントロールするコントロールＰＣであり、外部無線ＬＡＮユニット１２と接続されている。この外部無線ＬＡＮユニット１２はインフラストラクチャー・モードで外部のアクセスポイントを介して通信が可能であり、コントロールＰＣ１１からの制御信号をプロジェクタ１に無線ＬＡＮ（例えば通信規格IEEE801.11n）で送信することができる。
【００２０】
１３は高圧水銀ランプ等の光源であり、バラストユニット１９は外部電源２０から電源供給を受けて光源１３を点灯させるため電圧を作る。光源１３から発せられた白色光はプリズムユニット１４に入射する。プリズムユニット１４は、光源１３からの白色光を赤光、青光および緑光に分解し、それぞれを赤映像パネル１５、青映像パネル１６および緑映像パネル１７に導く。各映像パネルは、液晶表示素子等の光変調素子により構成されている。
【００２１】
画像処理ＩＣ７は、入力信号制御ＩＣから入力された映像信号を、赤、青および緑映像パネル１５〜１７に適正な解像度とフォーマットを有する映像信号に変換してパネルドライバ２１に送る。パネルドライバ２１は、変換後の映像信号に応じて赤、青および緑映像パネル１５〜１７を駆動する。これにより、赤映像パネル１５、青映像パネル１６および緑映像パネル１７に入射した赤光、青光および緑光がそれぞれの色の画像を形成するように変調される。
【００２２】
赤映像パネル１５、青映像パネル１６および緑映像パネル１７から出射(反射)した変調光としての赤光、青光および緑光は、プリズムユニット１４により合成されて投射レンズ１８に導かれる。投射レンズ１８は、合成された赤光、青光および緑光(すなわち、フルカラー画像)を不図示のスクリーン等の被投射面に投射する。
【００２３】
次に、本実施例においてＣＰＵ９が行うｃｈ設定処理の概要について説明する。プロジェクタ１に対して映像出力装置２からＤＶＩケーブル４を介して高速のドットクロック信号を含む映像信号が伝送される。この映像信号が、例えば１９２０×１０８０画素の解像度を有する場合は、その基本のドットクロック周波数は７４．２５ＭＨｚである。無線ＬＡＮユニット１０は、図２に示すように、無線ＬＡＮ（IEEE801.11n）の全通信可能帯域（所定周波数帯域）として、２４０１ＭＨｚ（２．４０１ＧＨｚ）から２４９５ＭＨｚ（２．４９５ＧＨｚ）までを使用する。そして、全帯域の中に、それぞれ２２ＭＨｚ帯域を有する複数のチャネルである１ｃｈから１４ｃｈを設けている。
【００２４】
ドットクロック周波数７４．２５ＭＨｚの逓倍波の１つである３３倍波の周波数は２４５０ＭＨｚ（２．４５ＧＨｚ）であり、この周波数は９ｃｈ（２４４１〜２４６３ＭＨｚ）の中心付近に重なる。また、各ｃｈの帯域は、例えば１ｃｈでは２４１０〜２４２３ＭＨｚ、２ｃｈでは２０４６〜２４２８ＭＨｚというように、隣り合うｃｈの帯域同士が部分的に重複している。このため、３３倍波の２４５０ＭＨｚが重なるｃｈには、９ｃｈ以外に、８ｃｈ（２４３６〜２４５８ＭＨｚ）、７ｃｈ（２４３１〜２４５３ＭＨｚ）、１０ｃｈ（２４４６〜２４７３ＭＨｚ）および１１ｃｈ（２４５１〜２４７３ＭＨｚ）がある。これら７〜１１ｃｈは、３３倍波である妨害波（不要輻射）の影響を受ける。
【００２５】
このため本実施例では、ＣＰＵ９は、入力された映像信号のドットクロック信号の逓倍波の周波数を取得する。そして、無線ＬＡＮユニット１０のアクセスポイント機能で使用するｃｈ（使用周波数帯域：以下、使用ｃｈという）として、妨害波である上記逓倍波の影響を受けないｃｈを設定（選択）する。具体的には、ＣＰＵ９は、入力映像信号の解像度が１９２０×１０８０でドットクロック周波数が７４．２５ＭＨｚである場合には、使用ｃｈとして妨害波の周波数を含まない１〜６ｃｈおよび１２〜１４ｃｈのうち１つのｃｈを設定する。そして、その設定した使用ｃｈを通じてアクセスポイント機能により、アクセスポイント・モードでの通信を行う。
【００２６】
次に、図３のフローチャートを用いて、ＣＰＵ９によるｃｈ設定処理の具体的な流れについて説明する。ＣＰＵ９はこのｃｈ設定処理を、コンピュータプログラムとしての制御プログラムに従って実行する。図および以下の説明において、「Ｓ」はステップを示す。
【００２７】
ＣＰＵ９は、Ｓ３０１において、外部から無線ＬＡＮのアクセスポイント機能を使用する命令が入力されたり、映像出力装置２から入力される映像信号の解像度等が変化したりした場合にＳ３０２に進む。以下のＳ３０２〜Ｓ３０６が設定ステップに相当する。
【００２８】
Ｓ３０２では、ＣＰＵ９は、入力制御ＩＣ５に入力される映像信号の上記特性を検出する。そして、記録部８に記録された複数の映像信号の特性に対応するドットクロック周波数のうち検出した特性に対応するドットクロック周波数を該記録部８から取得する。なお、ＣＰＵ９は、ドットクロック周波数を入力制御ＩＣ５から直接取得してもよい。また、ドットクロック周波数を、解像度、水平同期信号周波数、垂直同期信号周波数およびビット深度などから取得してもよい。
【００２９】
次にＳ３０３では、ＣＰＵ９は、取得したドットクロック周波数の逓倍周波数（以下、妨害周波数という）を算出し、該妨害周波数が上記１〜１４ｃｈのいずれかに含まれるか否かを判定する。言い換えれば、入力映像信号のドットクロック周波数（解像度）に応じた妨害波が無線ＬＡＮによる通信を妨害するｃｈ（以下、被妨害ｃｈという）を特定する。ＣＰＵ９は、被妨害ｃｈがない場合はＳ３０４に進み、被妨害ｃｈがある場合はＳ３０５に進む。
【００３０】
Ｓ３０４において、ＣＰＵ９は、無線ＬＡＮユニット１０に対して、任意の空きｃｈを使用ｃｈとして設定する。そして、Ｓ３０６に進む。
【００３１】
一方、Ｓ３０５では、ＣＰＵ９は、１〜１４ｃｈのうち被妨害ｃｈとは異なる空きｃｈ、すなわち無線ＬＡＮが妨害波の影響を受けない空きｃｈを選択する。これにより、７〜１０ｃｈは空きｃｈであっても選択されることはない。そして、ＣＰＵ９は、無線ＬＡＮユニット１０に、選択した空きｃｈを使用ｃｈとする設定を行わせ、Ｓ３０６に進む。
【００３２】
Ｓ３０６では、ＣＰＵ９は、無線ＬＡＮユニット１０に、そのアクセスポイント機能により、アクセスポイント・モードでの外部無線ＬＡＮユニット１２との通信を開始させる。
【００３３】
本実施例では、ＣＰＵ９は入力映像信号に起因して発生する妨害波が無線ＬＡＮ通信を妨害しないｃｈを使用ｃｈとして動的に設定する。これにより、プロジェクタ１に内蔵された無線ＬＡＮユニット１０は外部無線ＬＡＮユニット１２と良好な通信を行うことができる。
【実施例２】
【００３４】
次に、図４を用いて、本発明の実施例２であるプロジェクタ１′について説明する。本実施例のプロジェクタ１′の構成は、無線ＬＡＮユニット１０を内蔵している等、基本的に実施例１のプロジェクタ１の構成と同じであり、実施例１と共通する構成要素には実施例１と同符号を付している。ただし、本実施例では、映像出力装置２′の画像出力ＩＣ３′は、複数のＤＶＩケーブル４ａ，４ｂ，４ｃ，４ｄを介して解像度が互いに同じ又は互い異なる複数の映像信号をプロジェクタに同時伝送することが可能である。プロジェクタの入力制御ＩＣ５′は、ＤＶＩケーブル４ａ，４ｂ，４ｃ，４ｄが接続された複数の入力コネクタ６ａ，６ｂ，６ｃ，６ｄを介して上記複数の映像信号の同時入力を受けることができ、これら映像信号を画像処理ＩＣ７に送ることができる。
【００３５】
また、記録部８には、実施例１と同様に、様々な映像信号の解像度に対応するドットクロック周波数のデータが記録されているとともに、映像信号の入力数と放射される電波の強度との関係を示すデータが記録されている。
【００３６】
ＣＰＵ９は、入力制御ＩＣ５に入力された映像信号の特性（解像度、水平同期信号周波数、垂直同期信号周波数およびビット深度）と該映像信号の入力数とを検出することができる。またＣＰＵ９は、記録部８に記録されたデータから映像信号の特性に対応するドットクロック周波数のデータを読み出すとともに、入力数に対するプロジェクタ１′内（映像処理装置内）で放射される電波強度（累積値）のデータを読み出す。
【００３７】
次に、本実施例においてＣＰＵ９が行うｃｈ設定処理の概要について説明する。プロジェクタ１′に対して映像出力装置２′からＤＶＩケーブル４ａ〜４ｄを介して高速のドットクロック信号を含む複数の映像信号が伝送される。これらの映像信号が、例えば１９２０×１０８０画素の解像度を有する場合は、実施例１で説明したように、その基本のドットクロック周波数は７４．２５ＭＨｚである。実施例１（図２）と同様に、無線ＬＡＮユニット１０は、無線ＬＡＮの全通信可能帯域として２４０１ＭＨｚ（２．４０１ＧＨｚ）から２４９５ＭＨｚ（２．４９５ＧＨｚ）までを使用する。そして、全帯域の中に、それぞれ２２ＭＨｚ帯域を有する複数のチャネルである１ｃｈから１４ｃｈを設けている。
【００３８】
さらに実施例１でも説明したように、ドットクロック周波数７４．２５ＭＨｚの逓倍波の１つである３３倍波の周波数は２４５０ＭＨｚ（２．４５ＧＨｚ）であり、この周波数は９ｃｈ（２４４１〜２４６３ＭＨｚ）の中心付近に重なる。また、各ｃｈの帯域は、例えば１ｃｈでは２４１０〜２４２３ＭＨｚ、２ｃｈでは２０４６〜２４２８ＭＨｚというように、隣り合うｃｈの帯域同士が部分的に重複している。このため、３３倍波の２４５０ＭＨｚに重なるｃｈには、９ｃｈ以外に、８ｃｈ（２４３６〜２４５８ＭＨｚ）、７ｃｈ（２４３１〜２４５３ＭＨｚ）、１０ｃｈ（２４４６〜２４７３ＭＨｚ）および１１ｃｈ（２４５１〜２４７３ＭＨｚ）がある。これら７〜１１ｃｈは、３３倍波である妨害波の影響を受ける。
【００３９】
また、複数の映像信号が入力されている場合には、同じ特性（つまりは同じドットクロック周波数）の映像信号の入力数が多くなるほど妨害波の強度が増加する。さらに、異なる特性（つまりは異なるドットクロック周波数）の映像信号が複数入力される場合には、それぞれのドットクロック信号の逓倍波がより多くのｃｈで通信を妨害するおそれがある。
【００４０】
このため本実施例では、ＣＰＵ９は、実施例１と同様に、入力映像信号のドットクロック信号の逓倍波の周波数の情報を取得し、使用ｃｈとして、逓倍波（妨害波）の影響を受けないｃｈを設定する。この際、ＣＰＵ９は、映像信号の入力数、すなわち妨害波の数を取得する。そして、妨害波の数に応じた妨害波の強度が所定数以上であれば、使用ｃｈとして、妨害波の影響を受けないｃｈを設定（選択）する。具体的には、ＣＰＵ９は、入力映像信号の解像度が１９２０×１０８０でドットクロック周波数が７４．２５ＭＨｚであり、入力数が２以上である場合に、使用ｃｈとして１〜６ｃｈおよび１２〜１４ｃｈのうち１つのｃｈを設定する。
【００４１】
図５のフローチャートを用いて、ＣＰＵ９によるｃｈ設定処理の具体的な流れについて説明する。ＣＰＵ９はこのｃｈ設定処理を、コンピュータプログラムに従って実行する。
【００４２】
ＣＰＵ９は、Ｓ５０１において、外部から無線ＬＡＮのアクセスポイント機能を使用する命令が入力されたり、映像出力装置２から入力される映像信号の特性や数等が変化したりした場合にＳ５０２に進む。以下のＳ５０２〜Ｓ３０６が設定ステップに相当する。
【００４３】
Ｓ５０２では、ＣＰＵ９は、入力制御ＩＣ５′に入力される全ての映像信号の上記特性と入力数を検出する。そして、記録部８に記録された複数の映像信号の特性に対応するドットクロック周波数のうち検出した全映像信号の特性に対応するドットクロック周波数を該記録部８から取得する。なお、実施例１と同様に、ＣＰＵ９は、ドットクロック周波数を入力制御ＩＣ５から直接取得してもよい。また、ドットクロック周波数を、解像度、水平同期信号周波数、垂直同期信号周波数、およびビット深度などから取得してもよい。
【００４４】
次にＳ５０３では、ＣＰＵ９は取得した全てのドットクロック周波数のそれぞれから妨害周波数を算出し、これらの妨害周波数が上記１〜１４ｃｈのいずれかに含まれるか否かを判定する。言い換えれば、入力映像信号のドットクロック周波数に応じた妨害波が無線ＬＡＮによる通信を妨害する可能性のある被妨害ｃｈ候補を特定する。ＣＰＵ９は、被妨害ｃｈ候補がない場合はＳ５０４に進み、被妨害ｃｈ候補がある場合はＳ５０５に進む。
【００４５】
Ｓ５０４では、ＣＰＵ９は、無線ＬＡＮユニット１０に対して、任意の空きｃｈを使用ｃｈとして設定する。このとき、７〜１０ｃｈも空きチャンネルであれば、使用ｃｈとして設定することができる。そして、Ｓ５０７に進む。
【００４６】
Ｓ５０５では、ＣＰＵ９は、Ｓ５０２で検出した映像信号の入力数が通信を妨害する強度の妨害波を発生させる数（閾値）以上であるか否かを判定する。例えば、解像度１９２０×１０８０画素の映像信号が２以上入力されていれば、通信が妨害される（被妨害ｃｈ候補が被妨害ｃｈとなる）としてＳ５０６に進み、該映像信号が１つのみ入力されていればＳ５０４に進む。
【００４７】
Ｓ５０６では、ＣＰＵ９は、１〜１４ｃｈのうち被妨害ｃｈとは異なる空きｃｈ、すなわち無線ＬＡＮが妨害波の影響を受けない空きｃｈを選択する。これにより、７〜１０ｃｈは空きｃｈであっても選択されることはない。ＣＰＵ９は、無線ＬＡＮ全帯域内にドットクロック信号の逓倍波を発生させる全ての入力映像信号に対して同様な判定を行う。ＣＰＵ９は、無線ＬＡＮユニット１０に、選択した空きｃｈを使用ｃｈとする設定を行わせ、Ｓ５０７に進む。
【００４８】
Ｓ５０７では、ＣＰＵ９は、無線ＬＡＮユニット１０に、そのアクセスポイント機能により、アクセスポイント・モードでの外部無線ＬＡＮユニット１２との通信を開始させる。
【００４９】
本実施例でも、ＣＰＵ９は入力映像信号に起因して発生する妨害波が無線ＬＡＮ通信を妨害しないｃｈを使用ｃｈとして動的に設定する。これにより、プロジェクタ１′に内蔵された無線ＬＡＮユニット１０は外部無線ＬＡＮユニット１２と良好な通信を行うことができる。
【実施例３】
【００５０】
図６は、本発明の実施例３である映像処理装置としてのプロジェクタ１″の構成を示す。図６において、実施例１と共通する構成要素には実施例１と同符号を付して説明に代える。本実施例のプロジェクタ１″において、ＣＰＵ９には、空間に存在する電波を検出し、その周波数を解析できる電波検出部２２が接続されている。電波検出部２２からの周波数を用いることで、検出された電波が不要輻射による電波か無線通信の電波かを識別することができる。
【００５１】
ＣＰＵ９は、入力映像信号のドットクロック信号により放射される電波の周波数を電波検出部２２から取得する。そして、実施例１と同様に、無線ＬＡＮユニット１０のアクセスポイント機能で使用する使用ｃｈとして、妨害波であるドットクロック信号の逓倍波の影響を受けないｃｈを設定（選択）する。さらに、その設定した使用ｃｈを通じてアクセスポイント機能によりアクセスポイント・モードでの通信を行う。
【００５２】
図７のフローチャートは、本実施例においてＣＰＵ９によるｃｈ設定処理を示している。
【００５３】
ＣＰＵ９は、Ｓ７０１において、外部から無線ＬＡＮのアクセスポイント機能を使用する命令が入力されたり、映像出力装置２から入力される映像信号の解像度等が変化したりした場合にＳ７０２に進む。以下のＳ７０２〜Ｓ７０６が設定ステップに相当する。
【００５４】
Ｓ７０２では、ＣＰＵ９は、電波検出部２２を通じてプロジェクタ１″内にて放射されている電波の周波数を取得する。
【００５５】
次にＳ７０３では、ＣＰＵ９は、電波検出部２２を通じて取得した電波の周波数（以下、妨害周波数という）が実施例１で説明した１〜１４ｃｈのいずれかに含まれるか否かを判定する。言い換えれば、映像信号のドットクロック周波数に応じた妨害波が無線ＬＡＮによる通信を妨害する被妨害ｃｈを特定する。ＣＰＵ９は、被妨害ｃｈがない場合はＳ７０４に進み、被妨害ｃｈがある場合はＳ７０５に進む。
【００５６】
Ｓ７０４において、ＣＰＵ９は、無線ＬＡＮユニット１０に対して、任意の空きｃｈを使用ｃｈとして設定する。そして、Ｓ７０６に進む。
【００５７】
一方、Ｓ７０５では、ＣＰＵ９は、１〜１４ｃｈのうち被妨害ｃｈとは異なる空きｃｈ、すなわち無線ＬＡＮが妨害波の影響を受けない空きｃｈを選択する。そしてＣＰＵ９は、無線ＬＡＮユニット１０に、選択した空きｃｈを使用ｃｈとする設定を行わせ、Ｓ７０６に進む。
【００５８】
Ｓ７０６では、ＣＰＵ９は、無線ＬＡＮユニット１０に、そのアクセスポイント機能により、アクセスポイント・モードでの外部無線ＬＡＮユニット１２との通信を開始させる。
【００５９】
本実施例では、ＣＰＵ９は映像信号に起因して発生する妨害波が無線ＬＡＮ通信を妨害しないｃｈを使用ｃｈとして動的に設定する。これにより、プロジェクタ１に内蔵された無線ＬＡＮユニット１０は外部無線ＬＡＮユニット１２と良好な通信を行うことができる。
【００６０】
上記各実施例では、映像信号のドットクロック信号の逓倍波が妨害波となる場合について説明したが、ドットクロック信号以外のクロック信号や同期信号の逓倍波が妨害波となる場合にも、各実施例と同様のｃｈ設定処理を行うことができる。
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００６１】
以上説明した各実施例は代表的な例にすぎず、本発明の実施に際しては、各実施例に対して種々の変形や変更が可能である。
【符号の説明】
【００６２】
１，１′，１″プロジェクタ
５，５′  入力制御ＩＣ
９  ＣＰＵ
１０  無線ＬＡＮユニット
【図１】
2019087940.tif 000003
【図２】
2019087940.tif 000004
【図３】
2019087940.tif 000005
【図４】
2019087940.tif 000006
【図５】
2019087940.tif 000007
【図６】
2019087940.tif 000008
【図７】
2019087940.tif 000009